(57)【要約】【課題】記録特性に特徴的な傾向を及ぼす要素をディスクより読み出して分類判断することにより、記録開始可能となるまでにかかる時間を短縮する。【解決手段】記録媒体に記録するための記録データに変換し、或いは記録媒体から再生された記録データを画像或いは音声データに変換する記録再生信号処理手段と、前記記録データを一時記憶するメモリと、記録データを記録媒体に記録、再生する記録再生手段と、全体の制御を司るシステム制御手段とを、備えたディスク装置であって、記録媒体の識別情報を参照した後、あるいは、記録媒体にある溝からの信号を元に、記録媒体を作製したスタンパを識別した後、記録媒体に相応しい記録方法を選択できることを特徴とするディスク装置。【選択図】図２
2004326935.tif 000002
【特許請求の範囲】
【請求項１】
画像、或いは音声などの情報をディスク状記録媒体に記録するための記録データに変換し、或いは前記ディスク状記録媒体から再生された記録データを画像或いは音声データに変換する記録再生信号処理手段と、前記記録データを一時記憶するメモリと、前記記録データを前記ディスク状記録媒体に記録し或いは前記ディスク状記録媒体から記録データを再生する記録再生手段と、全体の制御を司るシステム制御手段とを、備えたディスク装置であって、
前記ディスク装置は、前記ディスク状記録媒体の識別情報を参照した後、前記ディスク状記録媒体に相応しい記録方法を選択できることを特徴としたディスク装置。
【請求項２】
請求項１に記載のディスク装置であって、前記識別情報が前記ディスク記録媒体上に記録されており、前記識別情報が前記ディスク状記録媒体を作製する際のスタンパを識別する情報であることを特徴とするディスク装置。
【請求項３】
請求項１に記載のディスク装置であって、前記識別情報が前記ディスク記録媒体上に記録されており、前記識別情報が前記ディスク状記録媒体を作製した日付であることを特徴とするディスク装置。
【請求項４】
請求項１に記載のディスク装置であって、前記識別情報が前記ディスク記録媒体上に記録されており、前記識別情報が前記ディスク状記録媒体の製造ロット番号もしくはシリアル番号であることを特徴とするディスク装置。
【請求項５】
画像、或いは音声などの情報をディスク状記録媒体に記録するための記録データに変換し、或いは前記ディスク状記録媒体から再生された記録データを画像或いは音声データに変換する記録再生信号処理手段と、前記記録データを一時記憶するメモリと、前記記録データを前記ディスク状記録媒体に記録し或いは前記ディスク状記録媒体から記録データを再生する記録再生手段と、全体の制御を司るシステム制御手段とを、備えたディスク装置であって、
前記ディスク装置は、前記ディスク状記録媒体にある溝からの信号を元に、前記ディスク状記録媒体を作製したスタンパを識別した後、前記ディスク状記録媒体に相応しい記録方法を選択できることを特徴としたディスク装置。
【発明の詳細な説明】
【０００１】
【発明の属する技術分野】
本発明は、光ディスクなどのディスク状記録媒体を用いるディスク装置およびその制御方法に係り、特に、数種類の記録媒体に動画及び音声などの情報を記録する情報記録装置などに搭載するのに好適な、ディスク装置およびその制御方法に関する。
【０００２】
【従来の技術】
記録型の光ディスクは大量の情報を記録でき、かつ媒体互換が可能な特徴を備えている。情報の再生はレーザ光を情報記録面に集光し、記録マークによって変調された反射光を検出して行う。情報の記録は再生光よりも大きなパワーのビームを情報記録面に照射することによって記録マークを熱的に形成して行う。
【０００３】
記録型光ディスクの高密度化には、より小さなマークを精密に形成する必要があるため、記録パワーの精密な制御が必要である。ところが、実際の光ディスク装置では、周囲温度やレーザの波長、光スポットの歪みなどの動的な変動の影響のため、光源の出力を一定に保ったとしても情報記録面に所定の温度分布を得ることは難しい。このため、例えば特許文献１に記載されているように、ユーザデータを記録する前に、テスト領域において記録パワーの最適値を求める「試し書き」と呼ばれる技術が従来より光磁気ディスク、ＣＤ−Ｒディスク、相変化光ディスクなどに用いられている。
【０００４】
試し書きの方式としては、アシンメトリ検出方式や、特許文献２に示されるような位相ずれ検出方式などがある。アシンメトリ検出方式は、密パターンと疎パターンを交互に記録し、再生信号から密パターンと疎パターンの平均レベルの差、すなわちアシンメトリを検出して、それが略ゼロになる記録パワーを最適記録条件として求めるものである。
【０００５】
一方、位相ずれ検出方式は、ランダムマークパターン、好ましくは単一マークの繰り返しパターンの試し書きパターンを、記録パワーを変化させながら記録した後、データエッジとクロックエッジの位相ずれを検出し、等価的にジッタを測定して、最適な記録条件を求める方式である。
【０００６】
従来のディスク装置では光ディスクがいったんイジェクトされたのを検出した後、相変化光ディスクなどが挿入されたのを検出された場合には、記録可能許可を出す前に試し書き処理を毎回行ってきた。これはどのような光ディスクがディスク装置に挿入されるか検出できないためである。
【０００７】
したがって、ユーザが、試し書き処理が正常終了し記録可能許可が出た状態でいったんそのディスクをイジェクトし、またすぐに同じ装置にそのディスクを挿入しても、ディスク装置はまず試し書き処理を行わなければならなかった。
【０００８】
したがって、例えば光ディスクカムコーダのような光ディスク装置では、ユーザが録画を開始しようと思っても、試し書き処理が終了して記録可能許可が出るまで待たねばならなかった。あるいは、光ディスク装置を用いたデータ記録装置でも、ユーザがデータを記録しようとしても、記録開始までに時間がかかっていた。
【０００９】
【特許文献１】
特開平６−１９５７１３号公報
【特許文献２】
特開平１０−３２０７７７号公報
【００１０】
【発明が解決しようとする課題】
前記従来技術では、ディスク装置に光ディスクが挿入あるいは交換されるたびに試し書きを行わなければならなかった。試し書き処理が終了するまでは、最適な記録パワーなどが求まらないため、ディスク装置が光ディスクに情報を記録することができない。試し書き処理は、上述したように、いくつかのパターンを光ディスク上に記録した後、再生してその信号を検証する処理であるため、時間がかかっていた。
【００１１】
また、光ディスクの記録容量の高密度化や記録速度の高速化などにより設定すべき値の数量も増加する傾向にある。このため、光ディスクを用いたビデオカメラや情報記録装置のユーザは、記録開始が可能となるまでの時間をかなり待たねばならなかった。
【００１２】
本発明の目的は、前記不具合点を解消し、以前そのディスク装置で記録したことのあるディスクか否かを判定することにより、記録開始可能となるまでにかかる時間を短縮する効果のあるディスク装置を提供することにある。
【００１３】
【課題を解決するための手段】
前記課題を解決するために、本発明のディスク装置は、ディスク１枚１枚に固有な特徴でなくとも、記録特性に特徴的な傾向を及ぼす要素をディスクより読み出して、分類判断することにより、以前そのディスク装置で記録したことのあるディスクであるかを見分け、該当するディスクであった場合にはそのときに使用した最適な記録パワーなどを設定して、試し書き処理を省略する。その結果、記録開始可能となるまでにかかる時間を短縮することができる。
【００１４】
前記要素としては、ディスク製造時にディスク上に記入されるロット番号や製造日時、製造場所、記録膜の組成の変更記録などを用いればよい。あるいは、ディスク製造時に用いられるスタンパごとによって、ディスク上に形成される溝形状が固有のものとなるため、溝形状を前記要素として用いてもよい。
【００１５】
【発明の実施の形態】
以下、本発明の実施例を図１、図２、図３を用いて説明する。
図１は、一般的なドライブ装置を用いた装置例の概略構成を示すブロック図である。
図１において、１は撮影手段で、撮影光学系２やＣＣＤ（撮像素子）３やＡ／Ｄ変換器４などからなり、被写体像を撮影光学系２によってＣＣＤ３上に結像させ、ＣＣＤ３により画像信号を得て、これをＡ／Ｄ変換器４によってデジタル化して出力する。５は、撮影手段１からの画像信号を画像データに変換処理する画像信号処理手段で、この画像信号処理手段５は、音声情報信号入力手段であるマイクロフォン１４からの音声情報信号をも処理するようになっている。
【００１６】
また、再生時には、画像信号処理手段５は、後記記録再生信号処理手段６からの画像データを、表示出力用の画像情報信号に変換処理するようになっており、さらに、この画像信号処理手段５は、後記記録再生信号処理手段６からの音声データを音声出力用の音声情報信号に変換処理するようになっている。
【００１７】
ビデオカメラの場合、画像データ、音声データは連続的に５の画像信号処理手段で処理を行われており、画質、音質は、５の画質信号処理手段の処理能力で決められ、その処理能力により５の画像信号処理手段から６の記録再生信号処理手段に送られるデータの転送速度が決まる。
【００１８】
６は記録再生信号処理手段で、画像信号処理手段５からの画像データ（音声データを含む）を、ディスク状記録媒体９へ記録するための記録フォーマットにしたがった記録データに変換するため、あるいは、ディスク状記録媒体９から再生された記録データを画像データ（音声データを含む）に変換処理するため、エンコード／デコード処理、変調／復調処理、ＥＣＣ付加／誤り訂正処理などの処理を行う。
【００１９】
ディスクへの記録、或いは再生の転送速度は、上記記録再生信号処理手段６の処理能力、記録再生手段８の処理能力、ディスクの回転速度等により決まる。７は上記画像信号処理手段５からの画像データ（音声データを含む）を一時記憶するメモリである。
【００２０】
上記メモリは、５の画像信号処理手段から転送される画像データ或いは音声データの転送速度が、ディスク状記録媒体９に記録を行う速度より速い場合に蓄積されている。従って、ディスク状記録媒体９への記録は、前記メモリへの蓄積量がメモリ容量以上にならないうちに記録する必要がある。
【００２１】
８は記録再生手段、９は図示せぬスピンドルモータによって回転駆動されるディスク状記録媒体（光ディスク）、１０はレーザ光源（レーザダイオード）や光学系、光検出器等よりなる光学ヘッドであり、記録再生手段８は、光学ヘッド１０によって、上記メモリ７に記憶された上記記録データを上記光ディスク９へ記録し、また、光学ヘッド１０によって、光ディスク９から再生された上記記録データを上記メモリ７に一時記憶させる。
【００２２】
１１は光記録に必要なサーボ制御、例えば、光学ヘッド１０のアクチェータ（図示せず）を制御するフォーカス制御やトラッキング制御、スピンドルモータ（図示せず）を制御するディスクの回転制御、アドレス位置を制御するシーク制御等を行う。
【００２３】
１５はＬＣＤ（液晶ディスプレイ）等よりなる画像表示手段である。再生時には、光学ヘッド１０で読み取られた光ディスク９上のデータ（レーザ光で照射された光ディスクからの反射光を、反射光量差として光学ヘッド１０の光検出器で読み取ったデータ）が、記録再生手段８を経て、再生された記録データとしてメモリ７に一旦蓄積された後、記録再生信号処理手段６で元の画像データに変換され、画像信号処理手段５を経て、この画像表示手段１５に表示される。
【００２４】
１２は、装置全体の統括制御を司る制御マイコンよりなるシステム制御手段で、このシステム制御手段１２によって、上述した装置の各部の制御や、全体の統括管理を行う。
【００２５】
図２は、本発明のドライブ装置を用いた一実施例の概略構成を示すブロック図である。図１と同じ番号を付したものは同一の機能を果たすものとする。３０は、本ドライブ装置の利用者が使用した光ディスクより、記録特性に特徴的な傾向を及ぼす要素を読み出して、分類判定した判定情報を保持し、システム制御手段１２に前記判定情報を伝える機能を保有する判定処理登録手段である。
【００２６】
判定処理登録手段３０は、ディスク装置の電源が切られた後にも前記判定情報を保持することが可能であるように設定する。例えば、不揮発メモリのようなものを３０の構成要素の一つとすればよい。
【００２７】
どのように光ディスクを分類判定するかは後で詳述するが、本ディスク装置に現在かけられている光ディスクの記録特性が、以前に本ディスク装置で試し書き処理を行ったことのある光ディスクと同じ特性であると、判定処理登録手段３０が判定できれば、試し書き処理を省略することができ、その結果、ユーザが、光ディスクへのデータ記録開始可能となるまで待つ時間を短縮させることが可能となる。
【００２８】
次に、以前そのディスク装置で「試し書き」処理を行ったことのある光ディスクと同等の記録特性をもった光ディスクであるかどうか判定する方法を説明する。
【００２９】
ここでは、光ディスクがＤＶＤ−ＲＡＭディスクである場合の方法を説明するが、その他の書き込み型光ディスクでも同様な方法を用いることは可能である。
【００３０】
ＤＶＤ−ＲＡＭディスクの内周側のある特定領域には、規格によって定められた、コントロールデータゾーンと呼ばれる領域がある。このコントロールデータゾーンには、ディスク固有の様々な情報がディスク作製時に書き込まれている。
【００３１】
これらの情報のうち、ディスク製作会社の用途のために用意された領域に書き込まれた情報（これを今後Ｄｉｓｃ  ｍａｎｕｆａｃｔｕｒｅｒ’ｓ  ｓｕｐｐｌｅｍｅｎｔａｒｙ  ｉｎｆｏｒｍａｔｉｏｎと呼ぶことにする）は、ディスク製作会社が作製したディスクの製作日時や場所、製造ロット番号などである。
【００３２】
本発明のディスク装置が、このＤｉｓｃ  ｍａｎｕｆａｃｔｕｒｅｒ’ｓ  ｓｕｐｐｌｅｍｅｎｔａｒｙ  ｉｎｆｏｒｍａｔｉｏｎを読み出すことにより、ディスク装置に挿入されている光ディスクがどのような記録特性に属する光ディスクであるか判定することが可能となる。すなわち、その光ディスクの作製日時や場所、製造ロット番号などから、その光ディスクを作製したときに用いたスタンパでの分類が可能となる。
【００３３】
ＤＶＤ−ＲＡＭディスクのような光ディスクは図３のような、溝とエンボスの領域をそれぞれ繰り返しながらスパイラル状に内周から外周へと１本につながったような構造となっていて、これをトラックと呼ぶ。このパターンは、スタンパによって一般に光ディスクに形成される。したがって、スタンパが変われば、光ディスクに形成される溝も変わる。ＤＶＤ−ＲＡＭディスクのような光ディスクの記録特性は、相変化ディスクという性格上、溝の形成具合（形状）が、光スポットが光ディスクに照射されたときの熱の伝播やクロストークに影響を与えるため、作製時に使ったスタンパによって固有のものとなる。
【００３４】
Ｄｉｓｃ  ｍａｎｕｆａｃｔｕｒｅｒ’ｓ  ｓｕｐｐｌｅｍｅｎｔａｒｙ  ｉｎｆｏｒｍａｔｉｏｎに基づき光ディスクをスタンパによって分類することにより、本発明のディスク装置は、現在挿入されている光ディスクが、以前に本ディスク装置に挿入されたことがあり、そのときに試し書き処理を行った別の光ディスクと同じスタンパによって形成された光ディスクであると判定でき、さらに記録特性が同じと判断できる。
【００３５】
したがって、今回は試し書き処理を行わずに、以前に挿入された同じスタンパによる光ディスクのときに試し書き処理を行った時の設定値を呼び出すだけですみ、設定処理時間を短縮できる。
【００３６】
上で『別の光ディスク』と述べたが、光ディスクを本発明のディスク装置に入れてみたところ、今まで挿入された光ディスクの作製スタンパに該当するものがないと判定されて試し書き処理が行われ、その後いったんユーザがその光ディスクを本ディスク装置からイジェクトし、再び本ディスク装置に入れる場合も含む。
【００３７】
Ｄｉｓｃ  ｍａｎｕｆａｃｔｕｒｅｒ’ｓ  ｓｕｐｐｌｅｍｅｎｔａｒｙ  ｉｎｆｏｒｍａｔｉｏｎに基づき光ディスクをスタンパによって分類する方法を上では述べたが、これに限る必要はなく、例えば、光学ヘッド１０が、レーザ光で照射された光ディスクからの反射光を、反射光量差として光学ヘッド１０の光検出器でデータとして読み出すときに、同時に光ディスクの溝形状を反射光量から分類することは可能であり、すなわち光ディスクをスタンパによって分類することができる。
【００３８】
つまり、スタンパによって、光ディスクに形成される溝形状は異なり、その溝形状により反射される光の量も変わってくるからである。図３に示された光ディスクの構造のうち、エンボス領域にはミラー部と呼ばれる、平らな面の領域がある。
【００３９】
このミラー部に光学ヘッド１０からの光が照射されたときの反射光量を使って、溝領域に光学ヘッド１０からの光が照射されたときの反射光量を規格化すれば、ノイズなどを除去できるので、光ディスクを溝形状、すなわちその溝形状を形成したスタンパによって分類することができる。
【００４０】
【発明の効果】
本発明によれば、ドライブ装置のセットアップ開始過程において、ディスク１枚１枚に固有な特徴でなくとも、記録特性に特徴的な傾向を及ぼす要素をディスクより読み出して、分類判断することにより、以前そのディスク装置で記録したことのあるディスクであるかを見分け、該当するディスクであった場合にはそのときに使用した最適な記録パワーなどを設定して、試し書き処理を省略する。その結果、記録開始可能となるまでにかかる時間を短縮することが可能となる。
【図面の簡単な説明】
【図１】一般的なディスク装置のシステム構成を示す図である。
【図２】本発明の１実施例を示す図で、ディスク装置システム構成を示す図である。
【図３】ＤＶＤ−ＲＡＭディスクの構造の一部を示す図である。
【符号の説明】
１・・撮影手段、    ２・・撮影光学系、    ３・・撮像素子部、
４・・Ａ／Ｄ変換器、    ５・・画像信号処理手段、
６・・記録再生信号処理手段、    ７・・メモリ、    ８・・記録再生手段、
９・・記録媒体、    １０・・光学ヘッド、    １１・・サーボ、
１２・・システム制御手段、    １３・・表示手段、
１４・・マイクロホン、    １５・・画像表示手段、
２１・・エンボスピット、    ２２・・ランド、    ２３・・溝（グルーブ）、
２４・・記録マーク、    ２５・・トラックウォブリング、
３０・・判定処理登録手段。
【図１】
2004326935.tif 000003
【図２】
2004326935.tif 000004
【図３】
2004326935.tif 000005